(57)【要約】【課題】この発明は、ペリーメーターゾーンの空調を積極的に行うと共に、リフォーム等の際の間取り変更後にも容易に対応することのできる空調システムに関する。【解決手段】本発明の空調システム１は、住宅２の小屋裏３に設置され温風または冷風を送風可能な空調装置４と、該空調装置４で発生した前記温風または冷風を各階に輸送する輸送ダクト５と、該輸送ダクト５から分岐して前記各階の居室６内の外壁７に沿って該各階の天井裏８にループ状、若しくは、馬蹄形状に配設された給気ダクト９と、該給気ダクト９と連通しペリメーターゾーンに前記温風または冷風を吹出し可能な吹出口１０と、を具備している。【選択図】図１
2011133156.tif 000002
【特許請求の範囲】
【請求項１】
住宅の小屋裏に設置され温風または冷風を送風可能な空調装置と、
該空調装置で発生した前記温風または冷風を輸送する輸送ダクトと、
該輸送ダクトから分岐して各階の居室側に面する外壁の内側面に沿って該各階の天井裏に配設された給気ダクトと、
該給気ダクトと連通しペリメーターゾーンに前記温風または冷風を吹出し可能な吹出口と、を具備することを特徴とする住宅の空調システム。
【請求項２】
前記給気ダクトが前記各階の天井裏にループ状に配設されたことを特徴とする請求項１記載に住宅の空調システム。
【請求項３】
前記給気ダクトが前記各階の天井裏に馬蹄形状に配設されたことを特徴とする請求項１記載に住宅の空調システム。
【請求項４】
前記給気ダクトが前記外壁の内側面と所定間隔あけて設けられたことを特徴とする請求項１乃至３記載の住宅の空調システム。
【請求項５】
前記給気ダクトが梁と天井部材との間に設けれられたことを特徴とする請求項１乃至４記載の住宅の空調システム。
【発明の詳細な説明】
【技術分野】
【０００１】
この発明は、ペリーメーターゾーンの空調を積極的に行うと共に、リフォーム等の際の間取り変更後にも容易に対応することのできる住宅の空調システムに関する。
【背景技術】
【０００２】
従来、住宅の居室内を快適な温度に調節するために、温風または冷風を送風可能なエアコン等の空調装置が住宅の居室に必要に応じて設けられていた。しかし、居室の窓や外壁付近等の外気からの熱的影響を受けやすい、いわゆるぺリメーターゾーンに対する対策がなされておらず非効率的であった。そのため、図７に示すように、ペリメーターゾーンの空調負荷を処理するために、壁１０１際の天井１０２に、少なくとも窓１０３または当該壁１０１に沿って下向きに温風又は冷風を吹出し可能な空調装置１０４を設置することが考案されている（例えば、特許文献１）。
【先行技術文献】
【特許文献】
【０００３】
【特許文献１】特開２０００−３３７６５１号公報
【発明の開示】
【発明が解決しようとする課題】
【０００４】
しかし、リフォーム等の際に間取り変更が生じた際には、空調装置１０４の一部は天井１０２に埋め込まれているため、当該空調装置１０４を移動する際には大掛かりな工事が必要であるという問題があった。
【０００５】
この発明は上記のような種々の課題を解決することを目的としてなされたものであって、ペリーメーターゾーンの空調を積極的に行うと共に、リフォーム等の際の間取り変更後にも容易に対応することのできる住宅の空調システムに関する。
【課題を解決するための手段】
【０００６】
上記目的を達成するために、請求項１記載の住宅の空調システムは、住宅の小屋裏に設置され温風または冷風を送風可能な空調装置と、該空調装置で発生した前記温風または冷風を輸送する輸送ダクトと、該輸送ダクトから分岐して各階の居室側に面する外壁の内側面に沿って該各階の天井裏に配設された給気ダクトと、該給気ダクトと連通しペリメーターゾーンに前記温風または冷風を吹出し可能な吹出口と、を具備することを特徴としている。
【０００７】
請求項２記載の住宅の空調システムは、前記給気ダクトが前記各階の天井裏にループ状に配設されたことを特徴としている。
【０００８】
請求項３記載の住宅の空調システムは、前記給気ダクトが前記各階の天井裏に馬蹄形状に配設されたことを特徴としている。
【０００９】
請求項４記載の住宅の空調システムは、前記給気ダクトが前記外壁の内側面と所定間隔あけて設けられたことを特徴としている。
【００１０】
請求項５記載の住宅の空調システムは、前記給気ダクトが梁と天井部材との間に設けられたことを特徴としている。
【発明の効果】
【００１１】
請求項１記載の住宅の空調システムによれば、住宅の小屋裏に設置される温風又は冷風を送風可能な空調装置と、該空調装置で発生した前記温風または冷風を各階に輸送する輸送ダクトと、を具備している。これにより、空調を所望する居室内に空調装置を別途取付ける必要がないので、当該空調装置の取付けによる圧迫感が生じることがなく、当該居室が広く感じられるという利点がある。
【００１２】
また、輸送ダクトから分岐して前記各階の居室内の外壁の内側面に沿って該各階の天井裏に配設される給気ダクトを具備している。これにより、リフォーム等の際の間取り変更後においても、一般的には居室内の各部屋は外壁の内側面と接しているため、吹出口の位置を変更するだけでこれに対応することができるので、工事が大掛かりとなることがない。
【００１３】
さらに、前記給気ダクトと連通しペリメーターゾーンに前記温風または冷風を吹出し可能な吹出口を具備している。これにより、天井裏に単に給気ダクトが配設された場合と比較して、外壁の内側面に沿って当該給気ダクトが配設された場合には、窓や外壁付近等の外気の熱的影響を受けやすいぺリメーターゾーンに積極的に温風または冷風を送風することができるので、効率的に居室の空調を行うことができる。
【００１４】
そして、本発明に係る住宅の空調システムを使用すれば、住宅内の何れの場所においても同一の温度とすることができる、いわゆる全館空調とすることができるので、住人が季節を問わず快適に過ごすことができる。
【００１５】
請求項２記載の住宅の空調システムによれば、前記給気ダクトが前記各階の天井裏にループ状に配設されている。これにより、請求項１の効果に加えて、給気ダクトの中央にその他の電気配線等を設置すれば設備のすみわけができ、また、これらが交錯することがない。
【００１６】
請求項３記載の住宅の空調システムによれば、前記給気ダクトが前記各階の天井裏に馬蹄形状に配設されている。これにより、請求項１の効果に加えて、住宅に吹抜けがある場合にも対応することができる。さらに、リフォーム等の際に新たに吹抜けを設けた場合にも容易に対応することができる。
【００１７】
請求項４記載の住宅の空調システムによれば、前記給気ダクトが前記外壁の内側面と所定間隔あけて設けられている。これにより、外壁際にカーテンボックスや間接照明等を取付ける際の作業において、例えば、天井部材にネジ等を打ち込んだ際にも、天井裏に配設された給気ダクトが妨げとなることがなく、また、当該給気ダクトを損傷することがないという利点がある。
【００１８】
請求項５記載の住宅の空調システムによれば、前記給気ダクトが梁と天井部材との間に設けられている。これより、梁に形成されたスリーブに配設される例えばキッチンの換気扇の排気ダクト等の他の配管と交錯することがないので施工が容易となる。
【図面の簡単な説明】
【００１９】
【図１】本実施形態に係る住宅の空調システムの全体該略図
【図２】本実施形態に係る住宅の空調システムが使用された住宅の１階部分の上視図
【図３】本実施形態に係る住宅の空調システムが使用された住宅の２階部分の上視図
【図４】図３に示す住宅の２階部分がリフォームされた状態を示す上視図
【図５】居室内の天井に設けらた吹出口を示す図
【図６】天井裏に配設された給気ダクトを示す断面図
【図７】従来技術を示す図
【発明を実施するための形態】
【００２０】
この発明における住宅の空調システム１の最良の実施形態について、以下に説明する。本発明の住宅の空調システム１は、図１、図５に示すように、住宅２の小屋裏３に設置され温風または冷風を送風可能な空調装置４と、該空調装置４で発生した前記温風または冷風を各階に輸送する輸送ダクト５と、該輸送ダクト５から分岐して前記各階の居室６内に位置する外壁７の内側面に沿って該各階の天井裏８にループ状、若しくは、馬蹄形状に配設された給気ダクト９と、該給気ダクト９と連通しペリメーターゾーンに前記温風または冷風を吹出し可能な吹出口１０と、を具備している。
【００２１】
前記空調装置４は、図１に示すように、住宅２の屋根１２と天井との間に形成される小屋裏３に居室６内からは視認できないように設けられており、温風または冷風を発生可能な周知の装置を使用することができる。また、空調装置４の操作は各階の居室６からも温度調節や、タイマーの設定、風量の調節等の各種の設定が可能である。
【００２２】
前記輸送ダクト５は、図１乃至図３に示すように、空調装置４に連通され、該空調装置４から発生した温風や冷風等を各階に輸送するダクトである。該輸送ダクト５は、アルミ等の金属製から成るものや、樹脂製から成るものを適宜選択して使用することができ、そして、その形状も断面が円形や矩形のものを適宜選択して使用することができる。また、輸送ダクト５は、小屋裏３から１階まで貫いて設置する場合には、給排水管やガス管等も同時に収納されるパイプスペースＰ内を通るようにして設置されるのが好ましい。
【００２３】
前記給気ダクト９は、図３に示すように、輸送ダクト５から２つに分岐されてるように前記各階の居室６内の外壁７の内側面に沿って、該各階の天井裏８にループ状に配設されている。これにより、窓１８や外壁７等の外気からの熱的影響を受けやすいペリメーターゾーンにおける空調が容易であり、さらに、ループ状に形成された給気ダクト９の中央部にキッチンの排気ダクトや配線等を設けることができ施工が容易である。また、給気ダクト９は、図６に示すように、Ｈ鋼からなる梁１３と、該梁１３に取付けられた吊木受１４から略垂直下方に垂れ下がるように設けられた吊木１５によって吊られた天井部材１６と、の間に形成される天井裏８に配置されている。一方、キッチンの排気ダクト等のその他のダクトは前記梁１３に形成されたスリーブを貫通するようにして設置されるので、給気ダクト９とその他のダクト等が交錯することがなく施工が容易である。
【００２４】
そして、給気ダクト９は、図３、図６に示すように、外壁７の内側面から１００〜３００ｍｍ程度の間隔をあけて設けられている。これにより、例えばカーテンボックスや、間接照明等を外壁７際に取付ける際に、天井部材１６にネジ等を打ち込んだとしても、給気ダクト９が妨げになることがないと共に、当該給気ダクト９を損傷することがない。そして、本実施形態においては、給気ダクト９の断面積は、輸送ダクト５からの距離に関わらず一様であるが、各吹出口１０からの温風、若しくは冷風の風量をできるだけ均一にするために、当該給気ダクト９の断面積を、輸送ダクト５からの距離に応じて適宜小さくなるようにしてもよい。
【００２５】
また、給気ダクト９の形状は、図３に示すループ状以外にも、図２に示すように、ループ状の給気ダクト９の一部が取除かれたような馬蹄形であってもよい。これは、図２に示すように、例えば１階から２階にかけて吹抜け１７が形成されている住宅２等に好適に使用することができる。また、図２に示す住宅２の吹抜け１７をリフォーム等により埋めた場合には馬蹄形の給気ダクト９の両端部を連結することによりループ状の給気ダクト９としてもよい。逆に、リフォーム等により吹抜け１７を設けた場合には、元々ループ状に形成されていた給気ダクト９の一部を取除くようにして馬蹄形の給気ダクト９としてもよい。この場合にも、既述のように、給気ダクト９は、図６に示すように、外壁７から１００〜３００ｍｍ程度の間隔をあけて設けられていると共に、Ｈ鋼からなる梁１３と天井部材１６との間に設けられている。
【００２６】
前記吹出口１０は、図５に示すように、給気ダクト９の下方面に設けられると共に、当該給気ダクト９と連通し、窓１８や外壁７等の外気からの熱的影響を受けやすいペリメーターゾーンに温風または冷風を吹出し可能となっている。また、天井裏８に単に給気ダクト９が配設された場合と比較して、外壁７の内側面に沿って当該給気ダクト９が配設された場合には、吹出口１０を該給気ダクト９の下方面に設けるだけで、当該吹出口１０をペリメーターゾーン付近に設けることができると共に、該ペリメーターゾーンに温風または冷風を吹出し可能となる。また、吹出口１０には風向調節羽１１が設けられているので、当該吹出口１０からの風向を調節することができる。
【００２７】
そして、吹出口１０内部には風量調節ダンパーが設けられているので（不図示）、各吹出口１０からの風量を調節することも可能である。また、本実施形態においては、給気ダクト９の下方にのみ吹出口１０を設けているが、これ以外にも該給気ダクト９から別途ダクトを用いる等して居室６の内部に吹出口１０を設けてもよいのは勿論である。また、本実施形態においては、図２、図３に示すように、各階の居室６の略中央部に排気用のガラリ１９を設けており、該ガラリ１９からは、強制排気、若しくは、自然排気の何れかで適宜排気を行うことができる。
【００２８】
そして、図２、図３に示す、住宅２の１階、若しくは２階部分における給気ダクト９の何れの位置に吹出口１０を設けてもよく、その数も住人の必要に応じて適宜変更することができるのは勿論である。これにより、例えば図３に示す住宅２の２階部分を、図４に示すように、リフォーム等により間仕切り２０で区切った場合でも、一般的にいずれの部屋も少なくとも外壁７の内側面を含むように施工されるので、吹出口１０の設置位置を変更するだけで各部屋に空調設備を設けることができる。
【００２９】
また、本実施形態の住宅の空調システム１を具備する住宅２は、小屋裏３に設けられた空調装置４によって、温風または冷風が当該住宅２内部の全体に行き渡る、いわゆる全館空調である。そのため、当該全館空調を２４時間起動させておくことで、住宅２内のいずれの位置においてもほぼ同様の温度に制御することができ、住人が快適に生活することができる。
【００３０】
以上のように構成される住宅の空調システム１を使用すれば、ペリーメーターゾーンの空調を積極的に行うと共に、リフォーム等の際の間取り変更後にも容易に対応することができる。
【産業上の利用可能性】
【００３１】
本発明に係る住宅の空調システム１は戸建、マンションを問わず使用することができ、さらには、商業用、工業用ビルや施設等にも使用することができるのは勿論である。
【符号の説明】
【００３２】
１        空調システム
２        住宅
３        小屋裏
４        空調装置
５        輸送ダクト
６        居室
７        外壁
８        天井裏
９        給気ダクト
１０      吹出口
１３      梁
【図１】
2011133156.tif 000003
【図２】
2011133156.tif 000004
【図３】
2011133156.tif 000005
【図４】
2011133156.tif 000006
【図５】
2011133156.tif 000007
【図６】
2011133156.tif 000008
【図７】
2011133156.tif 000009